(57)【特許請求の範囲】
【請求項１】
原反フィルム上に表示を設けてなり、容器胴部に巻き付けて取外し可能に装着する容器用ラベルにおいて、
前記原反フィルム上に、外面側から認識できる第一の表示及び当該第一の表示の背景を隠蔽する第一の印刷基層と、内面側から認識できる第二の表示及び当該第二の表示の背景を隠蔽する第二の印刷基層とが設けられ、
前記第一の印刷基層と前記第二の印刷基層は、いずれも厚さ２〜６μｍの白色インキ層であり、
前記原反フィルムの内面側に、当該原反フィルムに近い側から前記第一の表示、前記第一の印刷基層、前記第二の印刷基層、及び、前記第二の表示が、この順序で重層的に設けられ、
前記第一の印刷基層は、前記第一の表示を覆うように設けられ、
前記第二の印刷基層は、前記第一の印刷基層の表面の全部ではなく、一部に設けられ、
前記第二の表示は、前記第二の印刷基層上に設けられていることを特徴とする容器用ラベル。
【請求項２】
原反フィルム上に表示を設けてなり、容器胴部に巻き付けて取外し可能に装着する容器用ラベルにおいて、
前記原反フィルム上に、外面側から認識できる第一の表示及び当該第一の表示の背景を隠蔽する第一の印刷基層と、内面側から認識できる第二の表示及び当該第二の表示の背景を隠蔽する第二の印刷基層とが設けられ、
前記第一の印刷基層と前記第二の印刷基層は、いずれも厚さ２〜６μｍの白色インキ層であり、
前記原反フィルムの外面側に、当該原反フィルムに近い側から前記第一の印刷基層及び前記第一の表示が、この順序で重層的に設けられていると共に、当該原反フィルムの内面側に、当該原反フィルムに近い側から前記第二の印刷基層及び前記第二の表示が、この順序で重層的に設けられ、
前記第二の印刷基層は、前記第一の印刷基層と前記原反フィルムを介して重なる領域であって、その全部ではなく一部に設けられ、
前記第一の表示は、前記第一の印刷基層上に設けられ、
前記第二の表示は、前記第二の印刷基層上に設けられていることを特徴とする容器用ラベル。
【発明の詳細な説明】
【０００１】
【発明の属する技術分野】
本発明は、ボトルやその他の筒状容器に装着されるラベルに関する。
【０００２】
【従来の技術】
飲料、食用油、化成品、その他の内容物を充填するボトルや、その他の筒状容器には、商品名や注意書きを記載したり、容器を装飾するためのデザインを付したラベルが装着される。このラベルには様々なものがある。
【０００３】
ストレッチラベルは、外力を加えると引き伸ばされるが外力から開放されると収縮して復元可能なストレッチ性フィルムに商品名や説明文などの表示を付したものであり、当該ストレッチラベルを容器胴部よりもやや小径の筒体に成形し、当該筒体を引き伸ばした状態で容器に外嵌した後、或いは、当該ストレッチラベルを引き伸ばした状態で容器の胴部に巻き回して両端部を接合した後、ストレッチラベルを引張り力から開放して復元させることにより容器の胴部に巻き付け、装着する。
【０００４】
シュリンクラベルは熱収縮性フィルムに商品名や説明文などの表示を付したものであり、当該シュリンクラベルを容器の胴部に巻き回して両端部を接合することにより、或いは、当該シュリンクラベルを容器胴部とほぼ同じ径の筒体に成形し容器に外嵌することにより容器の胴部に巻き付けた後、熱収縮させて装着する。
【０００５】
ストレッチラベル及びシュリンクラベルは、原反（ベースフィルム）の収縮力を利用して容器胴部に巻き付ける装着形式であり、容器の外周面に貼り付けるのではないので、容器から容易に取り外すことができ、リサイクル性に優れている。
【０００６】
【発明が解決しようとする課題】
容器のラベルには、商品名、内容物や生産者に関する情報、バーコート、装飾性を高める表示など、さまざまな表示を付す必要がある。生産者や販売者の立場では、商品を消費者に対して十分にアピールするために商品名や装飾的部分を大きく表示したいというニーズがあるが、消費者保護の観点では内容物に関する説明や注意書きなどの必須記載事項を余すことなく表示しなければならないという制約がある。ラベルのサイズを大きくすれば当該ラベルの表示機能を十分に発揮できるが、包装材料の使用量が増えるのでコスト高を招くし、環境保護の観点から省資源化を図るという社会的要請にも反する。また、容器があまり大きくない場合には装着するラベルのサイズを大きくすることができない場合もある。
【０００７】
また、容器のラベルには、懸賞付きのクジやアンケート等のように特定の期間だけ表示したい事項もある。しかし、特定の期間だけの表示事項を追加するためにラベルをデザインし直すことはコスト高を招く。また、ラベルをデザインし直す代わりにラベル面積を大きくして表示事項を追加することも考えられるが、包装材料の使用量が増えると上記したようにコスト高と資源浪費を招くことに加え、サイズの大きいラベルを特定期間だけ使用するために生産ラインの設定を一時的に変更する必要が生じるので生産性が悪い。
【０００８】
さらに、ストレッチラベルやシュリンクラベルのように容器胴部に貼り付けることなく巻き付ける装着形式のものは容器から容易に取り外すことができるが、それすらも消費者にとっては煩雑な作業であり、ラベルを取外さずに容器が廃棄されることが多い。
【０００９】
本発明は上記の実状に鑑みて成し遂げられたものであり、その第一の目的は、限られたサイズで十分に表示機能を発揮できる容器用ラベルを提供することにある。
【００１０】
また、本発明の第二の目的は、特定の時期だけ何らかの表示を追加したい場合に、デザインし直したり或いはサイズを一時的に大きくする必要のない容器用ラベルを提供することにある。
【００１１】
さらに本発明の第三の目的は、消費者がラベルを容器から取り外すように仕向けることができる容器用ラベルを提供することにある。
【００１２】
【課題を解決するための手段】
上記目的を達成するために本発明により提供される容器用ラベルは、原反フィルム上に表示を設けてなり、容器胴部に巻き付けて取外し可能に装着する容器用ラベルにおいて、前記原反フィルム上に、外面側から認識できる第一の表示及び当該第一の表示の背景を隠蔽する第一の印刷基層と、内面側から認識できる第二の表示及び当該第二の表示の背景を隠蔽する第二の印刷基層とを設けたことを特徴とする。
【００１３】
上記本発明に係る容器用ラベルは、容器に装着した状態で外面側から認識できる第一の表示と、容器から取り外した状態で内面側から認識できる第二の表示部を設けたので、ラベルのサイズを大きくすることなく、表示面積を拡張できる。従って、制約されたラベルサイズの範囲内で大きくて見易い表示が可能となる。
【００１４】
また、本発明の容器用ラベルによれば、特定の期間だけ追加される表示事項をラベルの内面側に表示することにより、外面側から観察すべき通常の表示事項に関するデザインを全く或いはほとんど変更する必要がなくなる。従って、デザイン変更のための労力を削減することができると共に、ラベルのサイズを大きくしなくても表示事項を追加できるので、ラベルを装着する生産ラインの設定を一時的に変更する必要がなくなる。
【００１５】
さらに、本発明の容器用ラベルによれば、例えばラベルの内面側に懸賞に関する表示のように消費者の興味を引く事項を印刷することにより、消費者自身が積極的にラベルを剥がすように仕向けることができるので、ボトルとラベルの分別回収が促進され、包装容器のリサイクルに貢献する。
【００１６】
白インキを用いて上記の印刷基層を形成する場合には、第一の印刷基層及び第二の印刷基層の厚さを、それぞれ２〜６μｍの範囲で調節することによって、印刷基層の材料の使用量が比較的少ないにも拘わらず、外面側から見る時及び内面側から見る時の両方の背景隠蔽効果を十分に得ることができ、好ましい。
【００１７】
また、本発明においては、前記第二の表示は、前記原反フィルム上の前記第一の印刷基層よりも内面側で且つ当該第一の印刷基層と重なる領域だけに設けられ、前記第二の印刷基層は、前記第一の印刷基層と前記第二の表示の間で且つ当該第二の表示を設けた領域だけに設けられているのが好ましい。
【００１８】
第二の表示は、原反フィルム上の第一の印刷基層よりも内面側で、且つ、第一の印刷基層と重なる領域だけに設けることにより、外面側から観察する時に完全に第一の印刷基層の背後に隠れるので、ラベルのデザイン上好ましい。さらに、第二の印刷基層を、第二の表示を設けた領域の背後だけに選択的に設けることによって、印刷基層の材料を節約できる。
【００１９】
本発明に係る容器用ラベルの一態様においては、前記原反フィルムの内面側に、当該原反フィルムに近い側から前記第一の表示、前記第一の印刷基層、前記第二の印刷基層、及び、前記第二の表示が、この順序で重層的に設けられている。
【００２０】
本発明に係る容器用ラベルの別の一態様においては、前記原反フィルムの外面側に、当該原反フィルムに近い側から前記第二の表示、前記第二の印刷基層、前記第一の印刷基層、及び、前記第一の表示が、この順序で重層的に設けられている。
【００２１】
本発明に係る容器用ラベルのさらに別の一態様においては、前記原反フィルムの外面側に、当該原反フィルムに近い側から前記第一の印刷基層及び前記第一の表示が、この順序で重層的に設けられていると共に、当該原反フィルムの内面側に、当該原反フィルムに近い側から前記第二の印刷基層及び前記第二の表示が、この順序で重層的に設けられている。
【００２２】
【発明の実施の形態】
本発明によって提供される容器用ラベルは、原反フィルム上に表示を設けてなり、容器胴部に巻き付けて取外し可能に装着する容器用ラベルにおいて、前記原反フィルム上に、外面側から認識できる第一の表示及び当該第一の表示の背景を隠蔽する第一の印刷基層と、内面側から認識できる第二の表示及び当該第二の表示の背景を隠蔽する第二の印刷基層とを設けたことを特徴とする。
【００２３】
原反フィルム（ベースフィルム）としては、如何なる装着方式を採用するかに合わせて適宜の材質のものを用いることができる。例えば、ストレッチラベルを作製する場合にはストレッチ性のフィルムを用い、シュリンクラベルを作製する場合には熱収縮性のフィルムを用いることができる。
【００２４】
ストレッチ性のフィルムとしては、適度な柔軟性を有する熱可塑性樹脂フィルム、例えば、低密度ポリエチレン（ＬＤＰＥ）、中密度ポリエチレン（ＭＤＰＥ）、高密度ポリエチレン（ＨＤＰＥ）、線状低密度ポリエチレン（ＬＬＤＰＥ）、ポリプロピレン（ＰＰ）等のポリオレフィン樹脂からなる単層又は多層フィルムを用いることが出来る。その中でもＬＬＤＰＥからなる単層フィルム及びＬＬＤＰＥ層を有する多層フィルムはストレッチ性フィルムとして好ましく用いられる。
【００２５】
より具体的には、下記の各樹脂組成物からなる厚さ２０μｍの外層（第一層）、厚さ５０μｍの中間層（第二層）及び、厚さ２０μｍの内層（第三層）をマルチマニフォールドタイプのＴダイ共押出機を用いて３層共押出ラミネートした１０％縦方向延伸フィルム（９０μｍ）が、ストレッチ性フィルムとして好ましく用いられる。この３層共押出しフィルムは、ストレッチフィルムＤＭＴ−ＨＵ２の商品名で大日本樹脂（株）から供給されている。
【００２６】
・外層（第一層）：シングルサイト系触媒（メタロセン触媒）を使用して重合したエチレン−α・オレフィン共重合体（ＬＬＤＰＥ、密度：０．９２８ｇ／ｃｍ3）が１００．０重量部、合成シリカが０．５重量部、エルカ酸アミドが０．０５重量部、及び、エチレンビスオレイン酸アミドが０．０５重量部を十分に混練して調製した樹脂組成物を共押出しラミネートした層。
【００２７】
・中間層（第二層）：高圧法低密度ポリエチレン（ＨＰＬＤＰＥ、密度０．９２４ｇ／ｃｍ3）が１００．０重量部、及び、エルカ酸アミドが０．０５重量部を十分に混練して調製した樹脂組成物を共押出しラミネートした層。
【００２８】
・内層（第三層）：高圧法低密度ポリエチレン（ＨＰＬＤＰＥ、密度０．９２４ｇ／ｃｍ3）が３０．０重量部、シングルサイト系触媒（メタロセン触媒）を使用して重合したエチレン−α・オレフィン共重合体（ＬＬＤＰＥ、密度：０．９１７ｇ／ｃｍ3）が７０．０重量部、及び、合成シリカが０．５重量部を十分に混練して調製した樹脂組成物を共押出しラミネートした層。
【００２９】
容器用ラベルの外面側から認識できる第一の表示、及び、内面側から認識できる第二の表示は、各種のインキを用いて原反フィルム上に印刷することができる。デザイン構成を目的としている色インキとしては、例えば、ウレタン系の樹脂成分をベースとし樹脂系顔料を配合したインク、具体的にはザ・インクテック（株）製の商品名クリオス９９１墨、同６３９藍、同２１２紅、同４２３黄などを用いることが出来る。
【００３０】
また、表示の背景を隠蔽するための第一及び／第二の印刷基層は、隠蔽性を有するインクを、背景を隠蔽したい表示の下地層又は被覆層となるように原反フィルム上に印刷することにより形成できる。印刷基層を形成するインキとしては、例えば、ウレタン系の樹脂成分をベースとし酸化チタンなどの白色顔料を配合した白色インク、具体的には大日本インキ化学工業（株）製のファインラップＮＴＶ／ＸＯＸ１３９２コンク白などを用いることが出来る。
【００３１】
第一の表示には、商品名、装飾的部分、内容物に関する説明、ラベルを取り外して内面側の表示を見ることを促す文章など、容器にラベルを装着した状態で観察する必要がある表示事項を含める。一方、第二の表示には、豆知識的な話題、クジの部分、クイズの正解、懸賞の応募要領など、重要性が低くてラベルを取り外して確認すれば足りる事項、むしろ外面側よりも内面側に記載するのが適切な事項、消費者が興味を持ってラベルを取り外したくなる事項などを含める。
【００３２】
第一の表示、第一の印刷基層、第二の表示、及び、第二の印刷基層は、第一の表示を外面側から認識することができ、且つ、第二の表示を容器からラベルを取り外した後に内面側から認識することができる限り、如何なる重層構造であっても良い。また、第一の表示には第一の印刷基層、そして、第二の表示には第二の印刷基層というように、外面側の表示と内面側の表示それぞれに背景を隠蔽する層が設けられるので、外面側の表示と内面側の表示を自由にデザインすることができる。
【００３３】
本発明の容器用ラベルは容器胴部に取り外し可能に巻き付けて装着されており、外面側の限られた面積に表示しきれない事項を内面側に表示し、内面側の表示事項は容器用ラベルを容器から取り外してから見ることができる。従って、ラベルのサイズを大きくしなくても表示面積を拡張することができ、表示機能を十分に発揮することができる。
【００３４】
また、本発明の容器用ラベルは、内面側に消費者が興味を持つような事項を表示してラベルの取外しを促進できるので、資源の分別回収が促進される。
【００３５】
次に、本発明の具体的な態様を、図面を参照しながら説明する。図１、図２及び図３は、本発明に係る容器用ラベルの一例（１０１）を示したものである。図１は容器用ラベル１０１の平面図であり、図２は同ラベルの底面図であり、図３は同ラベルの断面図である。
【００３６】
容器用ラベル１０１はストレッチラベルであり、図３に示すように、原反フィルム６の内面側に、当該原反フィルムに近い側から、ラベルの外面側から認識できる第一の表示１、ラベルの外面側から観察する時に第一の表示の背景を隠蔽する第一の印刷基層２、ラベルの内面側から観察する時に第二の表示の背景を隠蔽する第二の印刷基層５、及び、ラベルの内面側から認識できる第二の表示４が、この順序で重層的に設けられた構造となっている。この重層構造は、容器用ラベル１０１を容器胴部に巻き付けて装着した時に、第一の表示１が原反フィルム６で被覆、保護されることになるので、表示の耐擦過性に優れている。
【００３７】
原反フィルム６としては、ＬＬＤＰＥ層を有する上記したような３層共押出しフィルム（大日本樹脂（株）製、ストレッチフィルムＤＭＴ−ＨＵ２）を用いることができる。この原反フィルム６は、外層６ａとしてＬＬＤＰＥ層、中間層６ｂとしてＨＰＬＤＰＥ層、及び、内層６ｃとしてＨＰＬＤＰＥとＬＬＤＰＥの混合樹脂層を有するものである。
【００３８】
第一の表示１、第一の印刷基層２、第二の印刷基層５、及び、第二の表示４は全て原反フィルム６に裏刷りされている。第一の表示１と第二の表示４は、上記したような各種の色インキ（ザ・インクテック（株）製、クリオスシリーズ）を用いて印刷することができ、第一の印刷基層２と第二の印刷基層５は、上記したような白色インキ（大日本インキ化学工業（株）製、ファインラップＮＴＶ／ＸＯＸ１３９２コンク白）を用いて印刷法により形成することができる。
【００３９】
容器用ラベル１０１を外面側から観察すると、図１に示すように、第一の表示１を視認できる。第一の表示１は、商品名や装飾的効果を高める表示１ａ、内容物に関する説明１ｂ、ラベルを取り外すことを促す表示１ｃ、及び、バーコード１ｃを含んでおり、１又は２以上の色インキを用いて印刷されている。ラベルを取り外すことを促す表示１ｃには、例えば、「ラベルをはずしてバーコードの裏をコインでこするとアタリが分かります！」などの文章が記載される。
【００４０】
第一の表示１の背後には、容器用ラベル１０１を容器胴部に巻き付けた時に容器内部の内容物やラベル内面側から観察すべき表示（第二の表示）が透けて見えることがないように、第一の表示の背景を隠蔽する第一の印刷基層２が白インキの印刷により設けられている。
【００４１】
第一の表示１は、ラベルの面積を余すことなく利用して付されることが多い。また、仮に第一の表示１に余白部分が生じるとしても、商品的価値を高めるためにはラベルを容器に装着した時に余白部分においても背後が透けて見えない方が良い。そのため、外面側から観察する時に背景を隠蔽する第一の印刷基層２は、ラベルのほぼ全体をカバーできるよう広範囲に設けるのが好ましい。ただし、ラベルの両端３、３’は容器胴部に巻き付ける時に重ね合わせて接合される部分なので、一方の端部３には第一の印刷基層２を設けなくてもよい。従って、原反フィルム６が透明の場合には、容器用ラベル１０１の一方の端部３は透明のままである。
【００４２】
この容器用ラベル１０１を内面側から観察すると、図２に示すように、第二の表示４を視認できる。第二の表示４には、スクラッチくじ（コインプリント）の部分４ａ及びアタリが出た時に必要となる応募要領の説明文４ｂが含まれており、１又は２以上の色インキを用いて印刷されている。
【００４３】
スクラッチくじ（コインプリント）は、ちょうどバーコートの裏側に配置されている。スクラッチくじ（コインプリント）は、原反フィルムの上に硬貨の金属よりも硬度の大きいインキをフィルム全面に印刷し、そのインキ層の上に硬貨の金属よりも硬度の小さい、且つ、マット状のインキで「アタリ」や「ハズレ」等の文字その他の懸賞に関する表示を印刷したものであり、硬貨で摩擦や引っかき等をすることにより表示が現れる構成になっている。その具体的構成は特公平６−７８０３９号公報に詳述されており、例えば、白地の基材フィルム上に下記組成の白色インキ組成物を用いて活版印刷により「アタリ」や「ハズレ」等の懸賞に関する表示を付すことにより、上記コインプリントを形成できる。
【００４４】
＜硬度の大きい白色インキ＞
・酸化チタン（顔料）：４０％
・ウレタン系樹脂：３０％
・溶剤（メチルエチルケトン、イソプロピルアルコール、トルエン）：３０％
・・・・・インキ表面光沢度（フィルム上）＝５％
【００４５】
＜硬度が小さく、マット状の透明インキ＞
・ウレタン系樹脂：３５％
・炭酸カルシウム：２％
・溶剤（酢酸エチル、イソプロピルアルコール、トルエン）：６３％
・・・・・インキ表面光沢度（フィルム上）＝７％
・・・・・インキ塗布後曇度（フィルム上）＝６５％
【００４６】
上記の印刷表示は、白地に白色インキで形成したものなので視認が困難であるが、印刷領域の表面を硬貨で擦ることにより表示が黒色化して明瞭に視認できる状態とすることができる。
【００４７】
第二の表示４の背後には、容器用ラベル１０１を容器から取り外して内面側から観察する時に、外面側から観察すべき表示（第一の表示）が透けて見えることがないように、第二の表示の背景を隠蔽する第二の印刷基層５が白インキの印刷により設けられている。
【００４８】
第二の表示４と第二の印刷基層５は、原反フィルム上の第一の印刷基層２よりも内面側で、且つ、第一の印刷基層２と重なる領域だけに設けることにより、外面側から観察する時に完全に第一の印刷基層２の背後に隠れるので、ラベルのデザイン上好ましい。
【００４９】
容器用ラベル１０１においては、第二の印刷基層５はラベル全面には設けず、第二の表示を設けた領域の背後だけに選択的に設けられている。第一の表示１と第二の表示４の間に、第一の印刷基層２の厚さと第二の印刷基層５の厚さを合計した厚さ以上の印刷基層を一層だけ設けることによっても、外面側から見る時及び内面側から見る時の両方の背景隠蔽効果を得ることができる。しかし、第一の表示１と第二の表示４が重ならない部分、すなわち第二の表示４の余白部分においては、第一の印刷基層２相当の厚さだけでも十分に背景隠蔽効果が得られるので、第一の印刷基層２の厚さと第二の印刷基層５の厚さを合計した厚さ以上の印刷基層を原反フィルムの全面に設けるとすると、第一の表示１と第二の表示４が重ならない部分においては印刷基層の材料を浪費することになる。
【００５０】
これに対して、容器用ラベル１０１においては、第二の印刷基層５はラベル全体には設けず、第二の表示を設けた領域の背後だけに選択的に設けるので、印刷基層の材料を節約できる。白インキを用いて印刷基層を形成する場合には、第一の印刷基層２及び第二の印刷基層５の厚さを、それぞれ２〜６μｍの範囲で調節することによって、印刷基層の材料の使用量が比較的少ないにも拘わらず、外面側から見る時及び内面側から見る時の両方の背景隠蔽効果を十分に得ることができる。
【００５１】
次に、本発明に係る容器用ラベルの別の例（１０２）を図４に示す。図４は、本発明に係る容器用ラベル（１０２）の断面図である。容器用ラベル１０２はストレッチラベルであり、図４に示すように、原反フィルム６の外面側に、当該原反フィルムに近い側から、ラベルの内面側から認識できる第二の表示４、ラベルの内面側から観察する時に第二の表示の背景を隠蔽する第二の印刷基層５、ラベルの外面側から観察する時に第一の表示の背景を隠蔽する第一の印刷基層２、及び、ラベルの外面側から認識できる第一の表示１が、この順序で重層的に設けられた構造となっている。
【００５２】
原反フィルム６、第一の表示１、第一の印刷基層２、第二の表示４、及び、第二の印刷基層５は、前記容器用ラベル１０１と同じ材料で形成されている。また、第二の印刷基層５は、第二の表示４を設けた領域の背後だけに選択的に設けられている。
【００５３】
次に、本発明に係る容器用ラベルの別の例（１０３）を図５に示す。図５は、本発明に係る容器用ラベル（１０３）の断面図である。容器用ラベル１０３はストレッチラベルであり、図５に示すように、原反フィルム６の外面側に、当該原反フィルムに近い側から、ラベルの外面側から観察する時に第一の表示の背景を隠蔽する第一の印刷基層２、及び、ラベルの外面側から認識できる第一の表示１が、この順序で重層的に設けられていると共に、当該原反フィルムの内面側に、当該原反フィルムに近い側から、ラベルの内面側から観察する時に第二の表示の背景を隠蔽する第二の印刷基層５、及び、ラベルの内面側から認識できる第二の表示４が、この順序で重層的に設けられた構造となっている。
【００５４】
原反フィルム６、第一の表示１、第一の印刷基層２、第二の表示４、及び、第二の印刷基層５は、前記容器用ラベル１０１と同じ材料で形成されている。また、第二の印刷基層５は、第二の表示４を設けた領域の背後だけに選択的に設けられている。
【００５５】
【実施例】
（実施例１）
原反フィルムとして、ＬＬＤＰＥ層を有する上記したような３層共押出しフィルム（大日本樹脂（株）製、ストレッチフィルムＤＭＴ−ＨＵ２、厚さ９０μｍ）を用いた。この原反フィルムの内面側をコロナ放電処理し、当該内面側に色インキ（ザ・インクテック（株）製、クリオスシリーズ）を用いて外面側から見ることを目的とした絵柄（第一の表示、インキ層厚２μｍ）を印刷し、さらにその上へ、白インキ（大日本インキ化学工業（株）製、ファインラップＮＴＶ／ＸＯＸ１３９２コンク白）を用いて、外面用デザインの背景を隠蔽する層厚４μｍの白インキ層（第一の印刷基層）を印刷した。
【００５６】
さらに、外面デザイン用白インキ層の上に、同様の白インキを用いて内面用デザインの背景を隠蔽する層厚４μｍの白インキ層（第二の印刷基層）を印刷し、さらにその上へ、同様の色インキを用いて内面側から見ることを目的とした絵柄（第二の表示、インキ層厚２μｍ）を印刷した。
【００５７】
得られたストレッチラベルを、印刷層が内側となるように丸めて両端部を重ね合わせ、ポリエステルポリオールと脂肪族ジイソシアネートの組み合わせからなる二液硬化型ウレタン系接着剤を用いて重合部を接合することにより、ボトル胴部の外周面に密着させて装着することのできる筒状ストレッチラベルを製造した。
【００５８】
次に、筒状ストレッチラベルをラベル装着機により約１５％拡開し、ポリエチレンテレフタレート（ＰＥＴ）製ボトルへ装着した。
【００５９】
ボトルに装着した状態で目視観察したところ、外面側デザインは何の問題もなく視認することができ、内面側デザインに影響されて見えにくくなるような事態は生じなかった。また、ボトルからラベルを取り外して内面側から目視観察したところ、内面側デザインも何の問題もなく視認することができ、外面側デザインに影響されて見えにくくなるような事態は生じなかった。
【００６０】
（実施例２）
原反フィルムとして、ＬＬＤＰＥ層を有する上記したような３層共押出しフィルム（大日本樹脂（株）製、ストレッチフィルムＤＭＴ−ＨＵ２、厚さ９０μｍ）を用いた。この原反フィルムの外面側をコロナ放電処理し、当該外面側に、色インキ（ザ・インクテック（株）製、クリオスシリーズ）を用いて内面側から見ることを目的とした絵柄（第二の表示、インキ層厚２μｍ）を印刷し、さらにその上へ、白インキ（大日本インキ化学工業（株）製、ファインラップＮＴＶ／ＸＯＸ１３９２コンク白）を用いて、内面用デザインの背景を隠蔽する層厚３μｍの白インキ層（第二の印刷基層）を印刷した。
【００６１】
さらに、内面デザイン用白インキ層の上に、同様の白インキを用いて外面用デザインの背景を隠蔽する印刷基層（第一の印刷基層）として層厚３μｍの白インキ層を印刷し、さらにその上へ、同様の色インキを用いて外面側から見ることを目的とした絵柄（第一の表示、インキ層厚２μｍ）を印刷した。
【００６２】
得られたストレッチラベルを、印刷層が外側となるように丸めて両端部を重ね合わせ、ポリエステルポリオールと脂肪族ジイソシアネートの組み合わせからなる二液硬化型ウレタン系接着剤を用いて重合部を接合することにより、ボトル胴部の外周面に密着させて装着することのできる筒状ストレッチラベルを製造した。
【００６３】
次に、筒状ストレッチラベルをラベル装着機により約１５％拡開し、ＰＥＴボトルへ装着した。
【００６４】
本実施例で作製したラベルも実施例１の場合と同様の観察結果が得られ、外面側及び内面側いずれから観察した場合でも表示の視認性及び美しさは良好であった。
【００６５】
（実施例３）
原反フィルムとして、ＬＬＤＰＥ層を有する上記したような３層共押出しフィルム（大日本樹脂（株）製、ストレッチフィルムＤＭＴ−ＨＵ２、厚さ９０μｍ）を用い、その両面にコロナ放電処理を施した。
【００６６】
この原反フィルムの外面側に、白インキ（大日本インキ化学工業（株）製、ファインラップＮＴＶ／ＸＯＸ１３９２コンク白）を用いて、外面用デザインの背景を隠蔽する層厚４μｍの白インキ層（第一の印刷基層）を印刷し、さらにその上へ、色インキ（ザ・インクテック（株）製、クリオスシリーズ）を用いて外面側から見ることを目的とした絵柄（第一の表示、インキ層厚２μｍ）を印刷した。
【００６７】
さらに、同原反フィルムの内面側に、同様の白インキを用いて内面用デザインの背景を隠蔽する層厚４μｍの白インキ層（第二の印刷基層）を印刷し、さらにその上へ、同様の色インキを用いて内面側から見ることを目的とした絵柄（第二の表示、インキ層厚２μｍ）を印刷した。
【００６８】
得られたストレッチラベルを丸めて両端部を重ね合わせ、ポリエステルポリオールと脂肪族ジイソシアネートの組み合わせからなる二液硬化型ウレタン系接着剤を用いて重合部を接合することにより、ボトル胴部の外周面に密着させて装着することのできる筒状ストレッチラベルを製造した。
【００６９】
次に、筒状ストレッチラベルをラベル装着機により約１５％拡開し、ＰＥＴボトルへ装着した。
【００７０】
本実施例で作製したラベルも実施例１の場合と同様の観察結果が得られ、外面側及び内面側いずれから観察した場合でも表示の視認性及び美しさは良好であった。
【００７１】
（比較例１）
原反フィルムとして、ＬＬＤＰＥ層を有する上記したような３層共押出しフィルム（大日本樹脂（株）製、ストレッチフィルムＤＭＴ−ＨＵ２、厚さ９０μｍ）を用いた。この原反フィルムの内面側をコロナ放電処理し、当該内面側に色インキ（ザ・インクテック（株）製、クリオスシリーズ）を用いて外面側から見ることを目的とした絵柄（第一の表示、インキ層厚２μｍ）を印刷し、さらにその上へ、白インキ（大日本インキ化学工業（株）製、ファインラップＮＴＶ／ＸＯＸ１３９２コンク白）を用いて、外面用デザインの背景を隠蔽する層厚１μｍの白インキ層（第一の印刷基層）を印刷した。
【００７２】
さらに、外面デザイン用白インキ層の上に、同様の白インキを用いて内面用デザインの背景を隠蔽する層厚１μｍの白インキ層（第二の印刷基層）を印刷し、さらにその上へ、同様の色インキを用いて内面側から見ることを目的とした絵柄（第二の表示、インキ層厚２μｍ）を印刷した。
【００７３】
得られたストレッチラベルを、印刷層が内側となるように丸めて両端部を重ね合わせ、ポリエステルポリオールと脂肪族ジイソシアネートの組み合わせからなる二液硬化型ウレタン系接着剤を用いて重合部を接合することにより、ボトル胴部の外周面に密着させて装着することのできる筒状ストレッチラベルを製造した。
【００７４】
次に、筒状ストレッチラベルをラベル装着機により約１５％拡開し、ポリエチレンテレフタレート（ＰＥＴ）製ボトルへ装着した。
【００７５】
ボトルに装着した状態で目視観察したところ、内面側デザインが第一及び第二の印刷基層を透過して外面側デザインと重なって見えてしまい、外面側デザインが見えにくくなった。また、ボトルからラベルを取り外して内面側から目視観察したところ、外面側デザインが第一及び第二の印刷基層を透過して内面側デザインと重なって見えてしまい、外面側デザインが見えにくくなった。
【００７６】
【発明の効果】
上記本発明に係る容器用ラベルは、容器に装着した状態で外面側から認識できる第一の表示と、容器から取り外した状態で内面側から認識できる第二の表示部を設けたので、ラベルのサイズを大きくすることなく、表示面積を拡張できる。従って、制約されたラベルサイズの範囲内で大きくて見易い表示が可能となる。
【００７７】
ラベルのアピール力を最大限に発揮するために、商品をアピールするデザインをラベルの外面側をフルに使って表示し、アピールデザインではない説明文やメーカーの所在地、さらに、法律上の要請から今後実施されることになる詳細な成分表示やアレルギー物質表示などは、ラベルの内面側（裏面）に表示することにより、消費者の購買意欲を刺激することができる。
【００７８】
また、本発明の容器用ラベルによれば、特定の期間だけ追加される表示事項をラベルの内面側に表示することにより、外面側から観察すべき通常の表示事項に関するデザインを全く或いはほとんど変更する必要がなくなる。従って、デザイン変更のための労力を削減することができると共に、ラベルのサイズを大きくしなくても表示事項を追加できるので、ラベルを装着する生産ラインの設定を一時的に変更する必要がなくなる。
【００７９】
さらに、本発明の容器用ラベルによれば、例えばラベルの内面側に懸賞に関する表示のように消費者の興味を引く事項を印刷することにより、消費者自身が積極的にラベルを剥がすように仕向けることができるので、ボトルとラベルの分別回収が促進され、包装容器のリサイクルに貢献する。
【図面の簡単な説明】
【図１】本発明に係る容器用ラベルの一例を示す平面図である。
【図２】図１と同じ容器用ラベルの底面図である。
【図３】図１と同じ容器用ラベルの模式的断面図である。
【図４】本発明に係る容器用ラベルの別の例を示す模式的断面図である。
【図５】本発明に係る容器用ラベルのさらに別の例を示す模式的断面図である。
【符号の説明】
１０１、１０２、１０３…本発明に係る容器用ラベル
１…第一の表示
２…第一の印刷基層
３、３’…端部
４…第二の表示
５…第二の印刷基層
６…原反フィルム
【図１】
0004802387.tif 000002
【図２】
0004802387.tif 000003
【図３】
0004802387.tif 000004
【図４】
0004802387.tif 000005
【図５】
0004802387.tif 000006